(57)【要約】【課題】複数の給紙トレイを備えた印刷装置において、印刷ジョブで使用する用紙の種類（紙種）が給紙トレイ数より多い場合のユーザの用紙交換の煩雑さを軽減する。【解決手段】給紙トレイは２つ（給紙トレイ１，給紙トレイ２）、印刷ジョブで使用する用紙の紙種は３つ（紙種１，紙種２，紙種３）とする。１回目は、給紙トレイ１に紙種２の用紙を装填し、給紙トレイ２に紙種３の用紙を装填する。印刷装置１０は、給紙トレイ１と給紙トレイ２の紙種２と紙種３の用紙を、印刷の順番に給紙して排紙トレイに排紙する。２回目に、給紙トレイ１に紙種１の用紙を装填し、給紙トレイ２に紙種２と紙種３の混在した用紙束を装填する。印刷装置１０は、給紙トレイ１の紙種１の用紙と給紙トレイ２の紙種２と３の混在した用紙束を印刷の順番に給紙して印刷する。【選択図】図２
2014151597.tif 000002
【特許請求の範囲】
【請求項１】
複数の給紙リソースを備えた印刷装置であって、
印刷ジョブを解析し、印刷に使用する用紙の紙種を調べる手段と、
前記印刷ジョブの印刷に使用する用紙の紙種の数が前記給紙リソースの数より多い場合に、少なくとも１回目は、複数の給紙リソースにセットされた、給紙トレイ数と同数の複数紙種の用紙について、前記印刷ジョブの印刷の順番に給紙し印刷せずに排紙して複数紙種混在の用紙束を得、２回目は、複数の給紙リソースにセットされた、前記複数紙種混在の用紙束と該用紙束の紙種以外の紙種の用紙とについて、前記印刷ジョブの印刷の順番に給紙して印刷を行う手段と、
を有することを特徴とする印刷装置。
【請求項２】
前記給排紙及び印刷を行う手段は、前記複数紙種混在の用紙束の数と該用紙束の紙種以外の紙種の数との合計が、前記給紙リソースの数より未だ多い場合に、複数の給紙リソースにセットされた、給紙トレイ数と同数の、前記複数紙種混在の用紙束と該用紙束の紙種以外の紙種の用紙とについて、再び前記印刷ジョブの印刷の順番に給紙して印刷せずに排紙して複数紙種混在の用紙束を得ることを特徴とする請求項１に記載の印刷装置。
【請求項３】
前記印刷ジョブの印刷に使用する用紙の紙種と該紙種の用紙の使用枚数を表示する手段を有することを特徴とする請求項１または２に記載の印刷装置。
【請求項４】
前記複数紙種混在の用紙束の複数紙種に１つの紙種別名を設定して表示することを特徴とする請求項３に記載の印刷装置。
【請求項５】
少なくとも前記紙種混在の用紙束がセットされている給紙トレイから給紙された用紙の履歴を保持する給紙情報テーブルと、
ジャムが発生した場合に、前記給紙情報テーブルを参照して、前記複数紙種混在の用紙束がセットされている給紙トレイに複数紙種の用紙をどの順序で補充するかを表示する手段と、
をさらに有することを特徴とする請求項１乃至４のいずれか１項に記載の印刷装置。
【請求項６】
複数の給紙リソースを備えた印刷装置において、
印刷ジョブを解析し、印刷に使用する用紙の紙種を調べるステップと、
前記印刷ジョブの印刷に使用する用紙の紙種の数が前記給紙リソースの数より多い場合に、少なくとも１回目は、複数の給紙リソースにセットされた、給紙トレイ数と同数の複数紙種の用紙について、前記印刷ジョブの印刷の順番に給紙し印刷せずに排紙して複数紙種混在の用紙束を得、２回目は、複数の給紙リソースにセットされた、前記複数紙種混在の用紙束と該用紙束の紙種以外の紙種の用紙とについて、前記印刷ジョブの印刷の順番に給紙して印刷を行うステップと、
を有することを特徴とする印刷方法。
【発明の詳細な説明】
【技術分野】
【０００１】
本発明は、給紙リソース数よりも多くの種類の用紙を使用して印刷ジョブを印刷する際に好適な印刷装置及び印刷方法に関する。
【背景技術】
【０００２】
従来、印刷装置において、印刷ジョブを印刷する際に、給紙トレイや給紙カセットなどの給紙リソースの数よりも多くの種類（紙種）の用紙を必要とする場合、印刷中の用紙交換が頻繁に発生し、印刷に時間と手間がかかる問題があった。
【０００３】
これを解決する技術として、例えば特許文献１には、印刷ジョブの印刷に用いられる用紙の種類が印刷装置の給紙トレイの数より多い場合に、丁合装置により自動的に用紙を所定の順序に並べ替え、この並び替えられた用紙セットを印刷装置にセットして印刷することで、ユーザの負担を低減することが記載されている。しかし、この特許文献１の方式では、別途、丁合装置を必要とし、丁合装置を備えていない印刷装置には適用できない。また、印刷ジョブから丁合装置のための丁合ジョブを生成する必要があり、処理が煩雑になる。
【発明の概要】
【発明が解決しようとする課題】
【０００４】
本発明の課題は、印刷装置にて給紙リソース数よりも多くの種類（紙種）の用紙を必要とする印刷ジョブを印刷する際に、丁合装置を使用することになく、少ない用紙交換回数で印刷できるようにすることにある。
【課題を解決するための手段】
【０００５】
本発明は、複数の給紙リソースを備えた印刷装置において、印刷ジョブを解析し、印刷に使用する用紙の紙種を調べる手段と、前記印刷ジョブの印刷に使用する用紙の紙種の数が前記給紙リソースの数より多い場合に、少なくとも１回目は、複数の給紙リソースにセットされた、給紙トレイ数と同数の複数紙種の用紙について、前記印刷ジョブの印刷の順番に給紙し印刷せずに排紙して複数紙種混在の用紙束を得、２回目は、複数の給紙リソースにセットされた、前記複数紙種混在の用紙束と該用紙束の紙種以外の紙種の用紙とについて、前記印刷ジョブの印刷の順番に給紙して印刷を行う手段とを有することを主要な特徴とする。
【発明の効果】
【０００６】
本発明によれば、複数の給紙リソースを備える印刷装置において、給紙リソース数よりも多くの紙種を使用して印刷ジョブを印刷する際に、別途、丁合装置を必要とせず、しかも、用紙交換は必要最小限で済み、利便性が向上する。
【図面の簡単な説明】
【０００７】
【図１】印刷システムの一実施形態の構成例を示す図である。
【図２】印刷装置の一実施形態のハードウエア構成例を示す図である。
【図３】本発明の印刷装置の一実施形態に係る機能ブロック図である。
【図４】本発明の印刷装置の一実施形態の全体的処理フローチャートである。
【図５】印刷ジョブの構成例を示す図である。
【図６】紙種情報テーブルの構成例を示す図である。
【図７】紙種表示画面（１回目）の一例を示す図である。
【図８】紙種・給紙トレイ対応テーブルの一例を示す図である。
【図９】更新後の紙種情報テーブルの構成例を示す図である。
【図１０】紙種表示画面（２回目）の一例を示す図である。
【図１１】更新後の紙種・給紙トレイ対応テーブルの一例を示す図である。
【図１２】紙種表示画面の別の例を示す図である。
【図１３】紙種・給紙トレイ対応テーブルの別の例を示す図である。
【図１４】解析部の一実施形態の処理フローチャートである。
【図１５】プロセス判定部の一実施形態の処理フローチャートである。
【図１６】排紙部の一実施形態の処理フローチャートである。
【図１７】画像形成部の一実施形態の処理フローチャートである。
【図１８】本発明の印刷装置の別の実施形態に係る機能ブロック図である。
【図１９】給紙情報テーブルの一例を示す図である。
【図２０】給紙方法表示画面の一例を示す図である。
【図２１】画像形成部の別の実施形態の処理フローチャートである。
【図２２】排紙追跡部の一実施形態の処理フローチャートである。
【発明を実施するための形態】
【０００８】
以下、本発明の実施の形態について図面を参照として説明する。
【０００９】
図１は、本発明の一実施形態としての印刷システムの構成例を示す図である。図１において、印刷装置１０と複数の上位装置としてのホストコンピュータ２０とがネットワーク３０で接続されている。なお、印刷装置１０とホストコンピュータ２０とが直接に接続される構成でもよい。
【００１０】
ホストコンピュータ（上位装置）２０は、印刷ジョブを生成し、ネットワーク３０を通して印刷装置１０に送信する。印刷装置１０は、ホストコンピュータ２０からネットワーク３０を通して送られてきた印刷ジョブを処理し、用紙に印刷して印刷物として出力する。
【００１１】
図２は、印刷装置１０の一実施形態に係るハードウエア構成例を示す図である。図２において、印刷装置１０は、装置本体としての印刷コントローラ１１０と印刷手段としての印刷機１２０とから構成される。印刷コントローラ１１０は、ＣＰＵ１１１、ネットワーク通信部１１２、操作表示部１１３及びメモリ１１４などを有している。印刷機１２０は、給紙リソース１３０として複数の給紙トレイと排紙リソース１４０として一つの排紙トレイを備えている。本実施形態では、給紙トレイは２つ（給紙トレイ１、給紙トレイ２）とするが、２つ以上いくつでもよい。
【００１２】
ＣＰＵ１１１は、当該印刷装置１０の全体の動作を制御すると共に、必要な処理を実行する。本実施形態では、ＣＰＵ１１１は、ホストコンピュータ２０から送られてきた印刷ジョブを解析し、印刷に使用する用紙の種類（以下、紙種）が給紙トレイ数より多い場合、紙種を操作表示部１１３に表示して、少なくとも１回目の第１ステップでは、ユーザが給紙トレイ数と同数の複数紙種の用紙を各給紙トレイにセットすることで、印刷機１２０にて、該複数紙種の用紙を印刷の順番通りに給紙し印刷せずに排紙トレイに排出せしめて複数紙種混在の用紙束を得る制御を行い、２回目の第２ステップでは、ユーザが該複数紙種混在の用紙束と該用紙束の紙種以外の紙種の用紙を各給紙トレイにセットすることで、印刷機１２０にて、該複数紙種混在の用紙束と該用紙束の紙種以外の紙種の用紙とを用いて印刷ジョブの順番とおりに印刷して排紙トレイに排出せしめる制御を行う。
【００１３】
ネットワーク通信部１１２は、ネットワーク３０を通して、上位装置のホストコンピュータ２０と通信を行う機能を備えている。本実施形態では、ネットワーク通信部１１２は、ホストコンピュータ２０からネットワーク３０を通して印刷ジョブを受信し、ＣＰＵ１１１を介してメモリ１１４に保存する。
【００１４】
操作表示部１１３は、ユーザが種々の操作を行うためのタッチパネルやキー、ボタン等の操作部と、ユーザに対して種々の画面を表示するためのＬＥＤやＬＣＤ等の表示部で構成される。本実施形態では、操作表示部１１３は、印刷ジョブの印刷に使用する紙種や必要枚数などを表示する。
【００１５】
メモリ１１４は、ＲＯＭ、ＲＡＭ、ハードディスク（ＨＨＤ）等の総称である。ＲＯＭは、ＣＰＵ１１１で各種の制御や処理を実行するためのプログラムを格納している。すなわち、ＣＰＵ１１１は、ＲＯＭに格納されたプログラムを実行することで、本実施形態に係る必要な制御・処理機能を実現する。ＲＡＭは、ＣＰＵ１１１での処理途中のデータ等を格納する。ＨＤＤは、ホストコンピュータ２０から送られてきた印刷ジョブや、該印刷ジョブの処理結果の印刷データ（画像データ）等を格納する。また、ＨＤＤは、ＣＰＵ１１１での制御や処理で必要とする各種テーブル等も格納する。
【００１６】
図３は、印刷装置１０の一実施形態に係る機能ブロック図を示す。図３において、通信部２１０の機能は図２のネットワーク通信部１１２が受け持ち、解析部２２０とプロセス判定部２３０の機能は図２のＣＰＵ１１１が受け持つ。また、排紙部２４０と画像形成部２５０の機能は、図２のＣＰＵ１１１と印刷機１２０が受け持つ。
【００１７】
通信部２１０は、上位装置のホストコンピュータ２０から印刷ジョブを受信し、ＣＰＵ１１１を介してメモリ１１４にそのまま保存する。以下では、印刷ジョブをジョブデータと称す。解析部２２０は、ジョブデータを解析して印刷に使用する紙種を調べる。プロセス判定部２３０は、印刷に使用する紙種の数と給紙リソース１３０の給紙トレイの数を比較すると共に、紙種を操作表示部１１３に表示し、ユーザが所定の紙種の用紙あるいは複数紙種混在の用紙束を各給紙トレイに装填（セット）することで、排紙部２４０あるいは画像形成部２５０を起動する。排紙部２４０は、ジョブデータの印刷の順番に、各給紙トレイから用紙を給紙し、そのまま排紙トレイに排紙して、複数紙種混在の用紙束を得る。画像形成部２５０は、ジョブデータの印刷の順番に、各給紙トレイから複数紙種混在の用紙束あるいは所定紙種の用紙を給紙し、画像を形成して印刷を行い、排紙トレイに排出する。
【００１８】
図４に、図３の全体的処理フローチャートを示す。以下では簡単に、印刷ジョブ（ジョブデータ）の印刷に使用する紙種は３つ（紙種１、紙種２、紙種３）、給紙リソース１３０の給紙トレイは２つ（給紙トレイ１、給紙トレイ２）とする。
【００１９】
通信部２１０は、上位装置であるホストコンピュータ２０から印刷ジョブ（ジョブデータ）を受信し、ＣＰＵ１１１を介してメモリ１１４に格納する（ステップ１００１）。
【００２０】
図５に、ジョブデータの構成例を示す。ジョブデータは、ページごとに紙種指定と印刷画像データの組み合わせで構成される。ここでは、ジョブデータ中の紙種指定の紙種は紙種１、紙種２、紙種３の３つとする。
【００２１】
解析部２２０は、メモリ１１４に保持されたジョブデータを解析して印刷に使用する紙種や枚数を調べ（ステップ１００２）、該ジョブデータを解析した結果の紙種情報テーブルを作成してメモリ１１４に格納する（ステップ１００３）。
【００２２】
図６に、紙種情報テーブルの構成例を示す。紙種情報テーブルは、ジョブデータで使用される紙種、使用枚数、紙種別名を記録したものである。ここで、紙種は紙種１、紙種２、紙種３の３つで、それぞれ使用枚数はａ，ｂ，ｃである。紙種別名は、後述の排紙部２４０が複数紙種の用紙の排紙動作を行った際に、複数紙種混在の用紙（排紙）束につける名称（排紙１、排紙２、・・・等）である。初めは、紙種別名は「なし」である。
【００２３】
プロセス判定部２３０は、紙種情報テーブルにより、ジョブデータで使用する紙種の数と給紙トレイの数を比較する（ステップ１００４）。そして、ジョブデータで使用する紙種の数が給紙トレイの数より多い場合、プロセス判定部２３０は、ジョブデータで使用する紙種を操作表示部１１３に表示し（ステップ１００５）、ユーザの用紙セット完了を待つ（ステップ１００６）。
【００２４】
図７に、操作表示部１１３上の紙種表示画面の一例を示す。プロセス判定部２３０は、使用する紙種と使用枚数を、例えば、使用枚数の多い順に表示する。図７はａ＞ｂ＞ｃの場合を示している。
【００２５】
ユーザは、操作表示部１１３上の紙種表示画面（図７）を見て、例えば、使用枚数の少ない２つの紙種（紙種２、紙種３）を選択し、給紙トレイ１に紙種２の用紙を装填し、給紙トレイ２に紙種３の用紙を装填する。そして、給紙トレイ１を紙種２に、給紙トレイ２を紙種３に設定し、確認ボタンを押下して、用紙セット完了を通知する。
【００２６】
プロセス判定部２３０は、確認ボタンの押下で用紙セット完了を確認すると、紙種と給紙トレイの対応を示すテーブル（紙種・給紙トレイ対応テーブル）を作成してメモリ１１４に格納し（ステップ１００７）、排紙部２４０を起動する。ここでは、紙種・給紙トレイ対応テーブルは図８のようになる。
【００２７】
排紙部２４０は、メモリ１１４に格納されているジョブデータ（図５）と紙種・給紙トレイ対応テーブル（図８）を用いて、ジョブデータの印刷の順番に、給紙トレイ１と給紙トレイ２から紙種２と紙種３の用紙を給紙し、排紙トレイに排紙する（ステップ１００８）。すなわち、排紙部２４０では、給排紙動作のみを行い、ユーザが選択した紙種（紙種２、紙種３）の用紙を印刷順番に並べ替える。ここで、排紙トレイに排出された紙種２と紙種３の混在した用紙束を排紙１とする。
【００２８】
排紙部２４０は、メモリ１１４の紙種情報テーブル（図６）を更新し（ステップ１００９）、プロセス判定部２３０を起動する。図９に、更新後の紙種情報テーブルを示す。すなわち、紙種２と紙種３に、紙種別名として排紙１が設定される。
【００２９】
プロセス判定部２３０は、更新後の紙種情報テーブルをもとに、再度、ジョブデータで使用する紙種を操作表示部１１３に表示し（ステップ１０１０）、ユーザの用紙セット完了を待つ（ステップ１０１１）。図１０に、この時の紙種表示画面の一例を示す。
【００３０】
ユーザは、操作表示部１１３上の紙種表示画面（図１０）を見て、例えば、給紙トレイ１に紙種１の用紙を装填し、給紙トレイ２には、排紙トレイに排出された紙種２と紙種３の混在した用紙束（排紙１）を装填する。そして、給紙トレイ１の紙種を紙種１に、給紙トレイ２の紙種を排紙１に設定し、確認ボタンを押下して、用紙セット完了を通知する。
【００３１】
プロセス判定部２３０は、ユーザの用紙セット完了を確認すると、メモリ１１４の紙種・給紙トレイ対応テーブル（図８）を更新し（ステップ１０１２）、画像形成部２５０を起動する。図１１に、更新後の紙種・給紙トレイ対応テーブルの内容を示す。
【００３２】
画像形成部２５０は、メモリ１１４に格納されているジョブデータ（図５）と紙種・給紙トレイ対応テーブル（図１１）を用いて、ジョブデータの印刷の順番に、給紙トレイ１から紙種１の用紙を給紙し、給紙トレイ２から紙種２と紙種３の混在した用紙束（排紙１）を給紙し、実際の印刷（画像形成）を行い（ステップ１０１３）、印刷物を排紙トレイに排紙する。
【００３３】
以上のように、ジョブデータで使用する紙種が３つで、給紙トレイが２つの場合、ユーザの用紙交換は２回で済む。
【００３４】
更に、紙種が４つ（紙種１、紙種２、紙種３、紙種４）で、給紙トレイが２つ（給紙トレイ１、給紙トレイ２）の場合には、例えば、次のようにすればよい。使用枚数の多さは紙種１＞紙種２＞紙種３＞紙種４とする。ステップ１で、給紙トレイ１に紙種３の用紙を装填し、給紙トレイ２に紙種４の用紙を装填して、紙種３と紙種４の混在した用紙束を排紙する。これを排紙１とする。ステップ２では、給紙トレイ１に紙種２の用紙を装填し、給紙トレイ２に排紙１を装填して、紙種２と排紙１の混在した用紙束を排紙する。これを排紙２とする。ステップ３では、給紙トレイに紙種１の用紙を装填し、給紙トレイ２に排紙２を装填して、実際の印刷動作を行う。この場合、ユーザの用紙交換は３回で済む。
【００３５】
一般に、ジョブデータで使用する紙種がＭで、給紙トレイがＮで、Ｍ＞Ｎの場合に、何らの不具合もよく適用可能である。
【００３６】
図４に戻り、ジョブデータで使用する紙種の数が給紙トレイの数以下の場合には、プロセス判定部２３０は、先のステップ１００５，１００６と同様に、ジョブデータで使用する紙種を操作表示部１１３に表示し（ステップ１０１４）、ユーザの用紙セット完了を待つ（ステップ１０１５）。
【００３７】
図１２は、ジョブデータで使用する紙種が紙種１、紙種２の場合の紙種表示画面の一例である。ユーザは、操作表示部１１３上の紙種表示画面を見て、例えば、給紙トレイ１に紙種１の用紙を装填し、給紙トレイ２に紙種の用紙を装填する。そして、給紙トレイ１を紙種１に、給紙トレイ２を紙種２に設定し、確認ボタンを押下して、用紙セット完了を通知する。
【００３８】
プロセス判定部２３０は、ユーザの用紙セット完了を確認すると、紙種・給紙トレイ対応テーブルを作成してメモリ１１４に格納し（ステップ１０１６）、画像形成部２５０を起動する。図１３は、この時の紙種・給紙トレイ対応テーブルの一例である。
【００３９】
画像形成部２５０は、メモリ１１４に格納されているジョブデータと紙種・給紙トレイ対応テーブル（図１３）を用いて、ジョブデータの印刷の順番に、給紙トレイ１から紙種１の用紙を給紙し、給紙トレイ２から紙種２の用紙を給紙し、実際の印刷（画像形成）を行い（ステップ１０１３）、印刷物を排紙トレイに排出する。
【００４０】
図１４乃至図１７に、解析部２２０、プロセス判定部２３０、排紙部２４０及び画像形成部２５０の処理フローチャートを示す。
【００４１】
図１４は、解析部２２０の処理フローチャートである。解析部２２０は、メモリ１１４からジョブデータを一つ読み出し（ステップ１１０１）、紙種を抽出する（ステップ１１０２）。そして、紙種ごとに使用する枚数をカウントする（ステップ１１０３）。次に、メモリ１１４に未読み出しのジョブデータがあるか判定し（ステップ１１０４）、あれば、ステップ１１０１に戻る。メモリ１１４からジョブデータをすべて読み出したならば、紙種情報テーブルを作成してメモリ１１４に格納し（ステップ１１０５）。プロセス判定部２３０を起動する。
【００４２】
図１５は、プロセス判定部２３０の処理フローチャートである。
【００４３】
プロセス判定部２３０は、メモリ１１４から紙種情報テーブルを読み出し（ステップ１２０１）、該紙種情報テーブルの紙種情報をもとに、ジョブデータで使用する紙種の数と予め既知の印刷機１２０に備えられている給紙トレイの数を比較する（ステップ１２０２）。ここで、ジョブデータで使用する紙種の数が給紙トレイの数より多い場合には、ジョブデータで使用する紙種をその必要枚数とともに操作表示部１１３に表示して（ステップ１２０３）、ユーザからの用紙セット完了の通知（確認ボタン押下）を待つ（ステップ１２０４）。そして、ユーザからの用紙セット完了の通知があると、紙種・給紙トレイ対応テーブルを作成し、これをメモリ１１４に格納して（ステップ１２０５）、排紙部２４０を起動する（ステップ１２０６）。
【００４４】
一方、ジョブデータで使用する紙種の数が給紙トレイの数以下の場合には、同様に、使用する紙種をその必要枚数とともに操作表示部１１３に表示して（ステップ１２０７）、ユーザからの用紙セット完了の通知を待つ（ステップ１２０８）。そして、ユーザからの用紙セット完了の通知があると、紙種・給紙トレイ対応テーブルを作成し、これをメモリ１１４に格納して（ステップ１２０９）、画像形成部２５０を起動する（ステップ１２１０）。
【００４５】
また、排紙部２４０を起動した場合、排紙部２４０で給排紙動作が終了すると、プロセス判定部２３０は、排紙部２４０から再び起動される。この時、メモリ１１４の紙種情報テーブルは、排紙部２４０によって更新されている。すなわち、排紙対象となった複数紙種に紙種別名（排紙１等）が設定されている（例えば、図９）。
【００４６】
プロセス判定部２３０は、メモリ１１４から更新後の紙種情報テーブルを読み出し（ステップ１２０１）、ジョブデータで使用する紙種の数と給紙トレイの数を比較する（ステップ１２０２）。この時、同一紙種別名の紙種は１つとする。そして、ジョブデータで使用する紙種の数が給紙トレイの数より未だ多かった場合（すなわち、複数紙種混在の用紙束の数と該用紙束の紙種以外の紙種の数との合計が給紙トレイ数より多い場合）にはステップ１２０３に進み、ジョブデータで使用する紙種の数が給紙トレイの数以下の場合にはステップ１２０７に進む。この場合、ステップ１２０５及びステップ１２０９では、紙種・給紙トレイ対応テーブルに、紙種別名（属性で、元の紙種を設定）と給紙トレイの対応を登録する（例えば、図１１）。
【００４７】
図１６は、排紙部２４０の処理フローチャートである。排紙部２４０は、まず、メモリ１１４から紙種・給紙トレイ対応テーブルを読み出す（ステップ１３０１）。次に、メモリ１１４からジョブデータを１つ読み出し（ステップ１３０２）、紙種・給紙トレイ対応テーブルを参照して、該ジョブデータの紙種が、給紙トレイにある用紙の紙種であるかどうか判定する（ステップ１３０３）。なお、紙種・給紙トレイ対応テーブルに紙種別名が登録されていれば、その属性欄を参照して判定する。ジョブデータの紙種が給紙トレイにある用紙の紙種であれば、該紙種の用紙がある給紙トレイを選択し（ステップ１３０４）、給排紙動作を行う（ステップ１３０５）。一方、ジョブデータの紙種が、給紙トレイにある用紙の紙種ではない場合には、ステップ１３０４，１３０５をスキップする。次に、メモリ１１４に未読出しのジョブデータがあるか判定し（ステップ１３０６）、あれば、ステップ１３０２に戻る。
【００４８】
メモリ１１４からジョブデータをすべて読み出したならば、メモリ１１４から紙種情報テーブルを読み出して、内容を更新し、更新後の紙種情報テーブルを再びメモリ１１４に格納する（ステップ１３０７）。すなわち、排紙対象となった紙種に紙種別名（排紙１など）を設定する（例えば、図９）。その後、プロセス判定部２３０を起動する（ステップ１３０８）。
【００４９】
図１７は、画像形成部２５０の処理フローチャートである。画像形成部２５０は、まず、メモリ１１４から紙種・給紙トレイ対応テーブルを読み出す（ステップ１４０１）。次に、メモリ１１４からジョブデータを１つ読み出し（ステップ１４０２）、紙種・給紙トレイ対応テーブルを参照して、該ジョブデータの紙種が、紙種別名にあるかどうかを判定する（ステップ１４０３）。すなわち、紙種別名の属性欄に当該紙種が設定されているかどうかをみる。ジョブデータの紙種が紙種別名にあれば、該紙種別名で給紙トレイを選択して（ステップ１４０４）、その用紙を給紙し、該ジョブデータの画像形成（ステップ１４０６）、印刷動作を行い（ステップ１４０７）、排紙トレイに排紙する。また、ジョブデータの紙種が紙種別名になれば、紙種で給紙トレイを選択して（ステップ１４０５）、その用紙を給紙し、同様に、該ジョブデータの画像形成（ステップ１４０６）、印刷動作を行い（ステップ１４０７）、排紙トレイに排紙する。次に、メモリ１１４に未だ読み出していないジョブデータがあるか判定し、あれば、ステップ１４０２に戻る。
【００５０】
以降、メモリ１１４に保持されたジョブデータをすべて読み出し、同様の動作を実行すると終了となる。
【００５１】
以上説明したように、本実施形態によれば、別途、丁合装置などを利用しなくても、印刷装置にて給紙トレイの数よりも多くの紙種の用紙を使用して印刷ジョブを印刷する際に、ユーザの用紙交換の煩雑さを軽減することができる。
【００５２】
図１８は、印刷装置１０の別の実施形態に係る機能ブロック図を示す。なお、ハードウエア構成は、図２と同様であるので省略する。
【００５３】
この実施形態は、印刷動作中にジャムが発生した際に、複数紙種混在の給紙トレイから給紙され、排紙されていない用紙がある場合に、複数紙種混在の給紙トレイへのユーザの用紙補充作業の煩雑さを軽減することにある。
【００５４】
図１８において、図３と異なっている点は、排紙追跡部２６０が追加されていることである。この排紙追跡部２６０の機能は、図２のＣＰＵ１１１が受け持つ。以下、排紙追跡部２６０と該排紙追跡部２６０に関係する画像形成部２５０の動作について説明する。通信部２１０、解析部２２０、プロセス判定部２３０及び排紙部２４０の動作は、先の実施形態と同様であるので説明を省略する。
【００５５】
画像形成部２５０は、給紙リソース１３０の給紙トレイを選択し給紙するたびに、給紙トレイ番号を給紙情報テーブルに記録する。選択した給紙トレイが複数紙種混在の給紙トレイの場合は、給紙の紙種も記録する。給紙トレイ番号や、給紙トレイ番号と紙種の情報を給紙情報と称す。給紙情報テーブルは、例えばメモリ１１４に保持されている。この給紙情報テーブルについては後述する。
【００５６】
排紙追跡部２６０は、印刷動作中、印刷機１２０（画像形成部２５０）の給紙排紙動作を常に追跡している。そして、印刷用紙が排紙リソース１４０である排紙トレイに排紙されるたびに（印刷用紙が正常に排紙されるたびに）、排紙追跡部２６０は、給紙情報テーブルから１枚分の給紙情報を削除する。
【００５７】
一方、印刷動作中にジャムが発生すると、排紙追跡部２６０は、給紙情報テーブルを参照して、複数紙種混在の給紙トレイから給紙され、排紙されていない用紙があると判断した場合、複数紙種混在の給紙トレイへの用紙補充方法を操作表示部１１３に表示する。ここで、用紙補充方法は、ユーザが複数の紙種の用紙をどの順序で複数紙種混在の給紙トレイに装填（補充）すべきかを示している。
【００５８】
ユーザは、操作表示部１１３の用紙補充方法表示画面を見て、用紙補充方法の通りに、複数紙種混在の給紙トレイに用紙を補充し、確認ボタンを押下する。画像形成部２５０は、確認ボタンのり押下を確認すると、印刷動作を再開する。
【００５９】
以下、具体例について説明する。ここでも、印刷ジョブ（ジョブデータ）の印刷に使用する紙種は３つ（紙種１，紙種２，紙種３）、給紙リソース１３０の給紙トレイは２つ（給紙トレイ１、給紙トレイ２）とする。
【００６０】
いま、給紙トレイ１に紙種１の用紙が装填され、給紙トレイ２に紙種２と紙種３の混在した用紙（排紙１）が装填された状態で、画像形成部２５０が、ジョブデータを順番に印刷しているとする。
【００６１】
画像形成部２５０は、給紙トレイ１あるいは給紙トレイ２から給紙するたびに給紙トレイ番号を給紙情報テーブルに記録する。給紙トレイが、紙種２と紙種３混在の給紙トレイであれば、給紙した紙種も記録する。紙種はジョブデータの紙種指定からわかる。排紙追跡部２６０は、印刷用紙が排紙トレイに排出されるたびに、給紙情報テーブルから１枚分の給紙情報を削除する。すなわち、給紙情報テーブルは、給紙トレイから給紙されて、まだ排紙トレイに排紙されないで、装置内に残っている用紙の履歴を示している。
【００６２】
いま、給紙トレイ１と給紙トレイ２から、例えば、
紙種１  →  紙種２  →  紙種１  →  紙種３  →  紙種２  →
紙種３  →  紙種３
の順序で給紙され、紙種１と紙種２の印刷用紙は正常に排紙されたが、ジャム発生で、紙種１、紙種３、紙種２、紙種３、紙種３の５枚の用紙がジャム紙として廃棄されたとする。図１９に、このときの給紙情報テーブルの内容を示す。
【００６３】
排紙追跡部２６０は、印刷動作中にジャムが発生すると、給紙情報テーブルを参照して、複数紙種混在の給紙トレイ（給紙トレイ２）から給紙され、排紙されていない用紙がある場合、複数紙種混在の給紙トレイへの用紙補充方法を操作表示部１１３に表示する。
【００６４】
ここでは、排紙追跡部２６０は、図１９の給紙情報テーブルを参照して、図２０のように、給紙トレイ２への用紙補充方法を操作表示部１１３に表示する。図２０は、給紙トレイ２に、紙種３の用紙を１枚、紙種２の用紙を１枚、紙種３の用紙を２枚、この順序で装填（補充）すべきことを示している。なお、給紙トレイ１は、複数紙種混在でないため、用紙補充方法の表示は不要である。
【００６５】
ユーザは、操作表示部１１３の用紙補充方法表示画面を見て、その用紙補充方法の通りに、給紙トレイ２に紙種２と紙種３の用紙を補充し、確認ボタンを押下する。画像形成部２５０は、確認ボタンの押下を確認して印刷動作を再開する。
【００６６】
図２１に、本実施形態に係る画像形成部２５０の処理フローチャートを示す。図２１において、先の図１７と異なっている点は、ステップ１４１０が追加されていることである。ステップ１４１０以外は図１７と同じであるので、説明を省略する。
【００６７】
画像形成部２５０は、選択した給紙トレイから用紙を給紙すると、給紙情報テーブルに給紙情報を１つ記録する（ステップ１４１０）。給紙情報は、選択した給紙トレイが単一紙種の給紙トレイの場合はその給紙番号であり、選択した給紙トレイが複数紙種混在の給紙トレイの場合には、給紙トレイ番号と紙種からなる。紙種は、ジョブデータの紙種指定でわかる。
【００６８】
給紙情報テーブルに給紙情報を記録した後、画像形成部２５０は、ジョブデータの画像形成、印刷動作を実施し、排紙トレイに印刷用紙を排紙する。
【００６９】
図２２は排紙追跡部２６０の処理フローチャートである。排紙追跡部２６０は、画像形成部２５０（印刷機１２０）の給排紙動作を監視している（ステップ１５０１）。そして、印刷用紙が排紙トレイに正常に排紙されれば、給紙情報テーブルからもっとも古い給紙情報を１つ削除し（ステップ１５０２）、ステップ１５０１に戻る。
【００７０】
一方、ジャムが発生した場合には、給紙情報テーブルの給紙情報を取得し（ステップ１５０３）、複数紙種混在の給紙トレイから給紙され、排紙されていない用紙があるかどうか判断する（ステップ１５０４）。これは、給紙トレイ番号に紙種が設定されているかどうかで判断できる。複数紙種混在の給紙トレイから給紙された用紙がなければ、そのままステップ１５０１に戻る。
【００７１】
複数紙種混在の給紙トレイから給紙され、排紙されていない用紙がある場合には、複数紙種混在の給紙トレイへの用紙補充方法を操作表示部１１３に表示する（ステップ１５０５）。具体的には、給紙情報テーブルを参照して、給紙トレイ番号、紙種、枚数を補充する順序に表示する。そして、ステップ１５０１に戻る。
【００７２】
本実施形態によれば、先の実施形態において、ジャムが発生して、複数紙種混在の給紙トレイからの用紙がジャム紙として廃棄された場合でも、ユーザは複数紙種混在の給紙トレイに正しい順序で所定の紙種の用紙を補充でき、用紙補充作業の煩雑を軽減することが可能になる。
【符号の説明】
【００７３】
１０  印刷装置
２０  上位装置（ホストコンピュータ）
３０  ネットワーク
１１０  印刷コントローラ
１１１  ＣＰＵ
１１２  ネットワーク通信部
１１３  操作表示部
１１４  メモリ
２１０  通信部
２２０  解析部
２３０  プロセス判定部
２４０  排紙部
２５０  画像形成部
【先行技術文献】
【特許文献】
【００７４】
【特許文献１】特開２０１１１−１９８１１９号公報
【図１】
2014151597.tif 000003
【図２】
2014151597.tif 000004
【図３】
2014151597.tif 000005
【図４】
2014151597.tif 000006
【図５】
2014151597.tif 000007
【図６】
2014151597.tif 000008
【図７】
2014151597.tif 000009
【図８】
2014151597.tif 000010
【図９】
2014151597.tif 000011
【図１０】
2014151597.tif 000012
【図１１】
2014151597.tif 000013
【図１２】
2014151597.tif 000014
【図１３】
2014151597.tif 000015
【図１４】
2014151597.tif 000016
【図１５】
2014151597.tif 000017
【図１６】
2014151597.tif 000018
【図１７】
2014151597.tif 000019
【図１８】
2014151597.tif 000020
【図１９】
2014151597.tif 000021
【図２０】
2014151597.tif 000022
【図２１】
2014151597.tif 000023
【図２２】
2014151597.tif 000024